(57)【要約】      （修正有）【課題】雪だるまを外型枠を用いて形成する際、雪だるまの頭部、胴体部を分離して各々形成した後、頭部を胴体部に載置固定化し一定の密度、耐久性を確保することができる雪だるま形成器を提供する。【解決手段】頭部、胴体部を分離して形成する開閉自在とする各々一対の椀状外型枠からなり、一対の椀状外型枠を閉じて球状形態を確保し雪塊を開放口７から投入しつつ圧雪することで各々の雪玉を一定の密度を有し耐久性に優れた雪玉を形成した後、頭部を胴体部の上面に載置し固定化することで雪だるまを形成する。また一対の椀状外型枠の素材はステンレス等金属であり、舟形多円錐形６を適数連結して椀状を形成し、かつ一対の椀状外型枠の外面には赤道ライン補強材９、両極経線ライン補強材１０及び十字状把手１１を付設することで一対の椀型外型枠の球状形態を確保することができる。【選択図】図１
0003208412.tif 000002
【実用新案登録請求の範囲】
【請求項１】
雪だるま形成に際し、頭部（２）胴体部（３）を分離した２組のステンレス等金属を素材とする一対の椀状外型枠（１）を本体として、一対の椀状外型枠（１）は舟形多円錐形（６）を適数連結して椀状面を形成し、一対の椀状外型枠（１）の各片端はヒンジ（４）介して回動自在に接続し、他方の各片端はバックル式留め具（５）で開閉自在とし、一対の椀状外型枠（１）を閉じ球状形態とした段階で頭部（２）及び胴体部（３）の下面には雪塊投入可能な開放口（７）を形成し、また一対の椀状外型枠（１）の外面には球状形態を確保すべく赤道ライン補強材（９）及び両極経線ライン補強材（１０）を付設し、頭部（２）上面、胴体部（３）下面には十字状把手（１１）を付設し、赤道ライン補強材（９）２適所には開閉柄（１２）を付設する雪だるま形成器
【考案の詳細な説明】
【技術分野】
【０００１】  本考案は主に一定程度の大きさを有する雪だるまを効率よく短時間で数多く形成することが可能とすべく雪だるまの形成に関するものである。
【背景技術】
【０００２】  一定程度の大きさの雪だるまを製作する方法としては、小さな雪球を作りその雪球を積雪地面にて転がすことで雪を付着させ次第に大きな雪玉を形成する方法が伝統的製法として広範に伝承している。【０００３】  上記方法は子供たちが楽しみながら時間をかけて作り上げる喜びを生み出す遊びであり、本考案の思考、目的とは別位相に存在する文化的方法であるため、比較対象とはしない。【０００４】  では従来の公知技術としては、雪だるまの外型枠を発砲スチロール等で形成し、その外型枠に雪を詰め込み、外型枠を外すことで雪だるまを形成することができる方法が広範に知れ渡っている。【０００５】  次に、既に公開された公報としては、実登３０８７６７７号が存在し、その構造は凹半球状をなし底部は水平面を確保すべく一対の外型枠を有し、各々の外型枠はヒンジで連結することで開閉自在とする雪だるま形成器が考案されている。【０００６】  更にどちらか一方の外型枠の外周縁には加振器を備えた外型枠に雪を充填した後、外型枠内に形成される雪玉を更に丸く密にするため、加振器を揺さぶったり外型枠と一体化した加振器を地面に落下させることで外型枠内に形成される雪玉を更に丸く密にする効果を望んでいる。【０００７】  又、実開平１−９４８８２号では、雪塊を回転可能な台座に載置し、雪塊を回転させながら削刃で生成することを特徴とする雪だるま製造機も考案されている。【０００８】
【特許先行技術文献】
【０００９】
【実用新案文献１】
実用新案登録３０８７６７７号
【実用新案文献２】
実開平１９４８８２号
【考案が解決しようとする課題】
【００１０】  従来の公知技術である雪だるまの外型枠を発砲スチロール等で形成しその外型枠に雪を詰め込み外型枠を外すことで雪だるまを形成する方法では、小さな雪だるまの形成することは可能だが、大きな雪だるまを形成しようとすると発砲スチロール等の型枠では充填した雪の重量や圧力に耐えられず外型枠が破損したり歪みが生じたりして充填した雪が溢れ出したりして、雪だるまの生成は困難であることが実態である。
【００１１】  次に実用新案権文献１では、雪だるまの頭部と胴体部を別々に形成し、形成後頭部を胴体部の上面に載置して完成させる方法を採用している。
【００１２】  雪だるま形成手順として、ヒンジを介して構成される一対の椀型の外枠を約１８０度に開き地面等に載置し、加振器が布設されている一方の外枠内に雪を充填させるが、その際半球状である外型枠水平面より高く雪を積み上げた後他方の外型枠を被覆させ球状となった一対の外型枠を揺さぶったり、地面に投下したりして外型枠内の雪塊をより球状かつ密度の大きい雪玉を形成することを目的としている。
【００１３】  しかしながら一方の半球状椀型の外型枠にのみ雪塊を充填するため、雪玉の半球形状及び雪の平均化密度の大きさまでは予定通り形成されるが、雪を充填した外型枠上面に残りの半球に必要な雪塊の量を推測して載置した後他方の外型枠を被覆させなければならず、雪玉を多数形成した熟練の者でなければ適度な雪塊の量を把握することは困難であり、その結果崩壊しにくく一定の安定した雪玉を効率よく簡単に形成することができるとは言えない。
【００１４】  実用新案権文献２では、雪塊を回転台に載置し回転させながら削刃で削って雪だるまを製作する考案である。
【００１５】  しかしながら一定量の重量負荷を有する転台を回転させるには電動式等の動力が必要であり、用具、機器の調達等準備段階での手間がかかりすぎと言えよう。
【００１６】  しかも雪塊を回転台に載置し回転させると雪片が飛び散ったり半壊する虞があり、雪塊が安定して回転可能な速度と削刃で削るための回転速度との調整もまた必要となり、効率よく安定的に雪だるまを作成することは困難となる。
【００１７】  従って本考案の雪だるま形成器は、上記課題を克服し効率よく安定して耐久性のある同型の雪だるまを多数生産することを目的としている。
【課題を解決するための手段】
【００１８】  本考案の概要は、一定程度の大きさを有する雪だるまを外型枠を用いて作成するものであり、雪だるまの頭部と胴体部を別々に作成し最終段階で胴体部に頭部を載置固定して完成させることを目的としている。
【００１９】  先ず外型枠の素材としてアルミ又は他の金属、合金を用いることで一定程度の雪だるまを作成するのに必要な雪量は、例えば半径を２５ｃｍとする球状の外型枠内に充填する雪の体積は約６５ｌ強であり、相当な質量の雪塊が必要となる。
【００２０】  そこで外型枠の素材としてアルミ又は他の金属、合金を用いることで相当な質量の雪塊を支えることが可能となる。
【００２１】  次に雪だるまの頭部、胴体部ともほぼ球状の形態を作成し適時の耐久性を有する強度を確保するためには、頭部、胴体部各々ヒンジを介して接続している一対の椀状外型枠をバックル様式の留め具にて球状密閉し、球状形態の外型枠上面は適度な開空口を確保しており、開空口から雪塊を充填しつつ球形になるまで圧雪具で圧雪する。
【００２２】  充填された雪塊は開空口面では圧雪により水平面を確保した後、一対の椀状外型枠を開放することで、頭部、胴体部各々の雪玉を取り出すことができる。
【００２３】  この段階で各々の雪玉は一定期間形状を維持することが可能な硬さを確保しており、しかも頭部の下面部と胴体部の上面部は適度な広さで水平状に形成されているため、頭部を胴体部に載置固定することは極めて容易な作業となる。
【００２４】  本考案の雪玉の形成及び雪だるまの組立までの工程は極めて容易な作業であり、次々と新しい雪だるまを効率よく多数個作成することが可能となる。
【００２５】  又、各々の椀状外型枠の赤道ラインと南北経線ラインに沿って椀状外型枠補強部を設置し、赤道補強部の適２か所に握り開閉柄を付帯し、椀状外型枠上・下面には南北経線ラインに沿った椀状外型枠補強部と連続部位として十字型安定具を形成することにより、外型枠内に相当な重量を有する雪塊を充填し安定して密度が大きく均一な球状成形することが可能でありかつ耐久性も確保することができる。
【００２６】  外型枠内に雪玉を成形した後、バックル式留め具を外し握り開閉柄を用いて外型枠を開くことで頭部、胴体部に該当する雪玉のみを損壊することなく取り出すことができ、下面が水平面である頭部を上面が水平面である胴体部に載置固定して予定の雪だるまを完成させることができる。
【考案の効果】
【００２７】  型枠を用いて一定程度の大きさを有する雪だるまを形成する際、いかに効率よく多数個形成することを目的とすれば、更に作業者の負担を減らしかつ均一で密度が大きく球状を保つべく耐久性に優れた雪だるまを形成することができるかが課題であるが、本考案はいずれもこの課題を克服している。
【００２８】  雪だるまの外型枠を頭部胴体部一体型とすると頭部と胴体部の連結部が細く弱いため雪だるま全体への雪塊充填では型枠を外した後、頭部が外れたり損壊する可能があるため、本考案では頭部、胴体部を分離して各々雪玉を製作し最後に頭部を胴体部に載置固定して雪玉を完成させる方法を採用する。
【００２９】  雪だるまの頭部、胴体部は各々球状に近い形であり、その形状を確保するためには外型枠が球状に近い形を成す必要があり、本考案では一対の椀状外型枠バックル式留め具でいったん閉じた球状状態を確保し、開放口を形成している上面から雪塊を投入し圧雪具等で圧雪しながら充填することで均一かつ一定の密度の大きさの雪玉を形成し、閉じた一対の椀状外型枠を開くと、何ら衝撃を与えることなく形成した雪玉をそのまま地面に載置することができる。
【００３０】  本考案では頭部と胴体部の雪玉を別々に形成し、その後頭部下面を胴体部上面に載置固定化し雪だるまを完成させることになるが、頭部下面及び胴体部上面ともに水平状態を確保しており、この組立工程においても雪だるまが損壊したりあるいは部分断裂する可能性はほとんどない。
【００３１】  ところで外型枠に雪塊を充填して一定程度の雪玉を形成するには外型枠自体にかなりの重量負荷がかかり、外型枠がゆがんだり破損したり等危険性を有するが、本考案の外型枠の材質はアルミ等金属である為他の非金属とは異なり耐久性に優れ、又椀状外型枠は球状の１枚板で形成されているのではなく舟形多円錐形を適数連結して形成されており、外型枠製造段階で球状に加工しなくてもよく容易に外型枠を製造することできることも優れた点といえる。
【００３２】  また閉じた一対の椀状外型枠の形状は完全な球状ではなく多面体であるため、完成した雪だるまの表面もまた多面体となるが、雪だるま自体白い雪でできており光の当たり方や見る方向の違いにより光の反射も含めて様々な外観を堪能できることになる。
【００３３】  更に外型枠に対し赤道ライン、南北経線ラインに補強材を付設し、少なくとも上面下面の一方には載置した場合の安定性をも兼ねた十字型運搬用把手を付設し、かつ赤道ライン２か所には開閉用柄も付設しており、耐久性の確保、移動及び開閉し易さを備えた雪だるま形成器を提供するものである。
【００３４】  尚、短時間で雪だるま１個形成することができるため、次々と他の雪だるまを連続して形成することが可能であり、イベントの飾りオブジェ等利用価値は高いといえる。
【図面の簡単な説明】
【００３５】
【図１】  本考案の胴体部一対椀状外型枠をとじた状態を示す正面図
【図２】  本考案の胴体部一対椀状外型枠をとじた状態を示す平面図
【図３】  本考案の胴体部一対椀状外型枠を開放した状態を示す正面図
【図４】  本考案の胴体部一対椀状外型枠を開放した状態を示す平面図
【図５】  本考案の頭部一対椀状外型枠をとじた状態を示す正面図
【図６】  本考案の頭部一対椀状外型枠をとじた状態を示す平面図
【図７】  本考案の頭部一対椀状外型枠を開放した状態を示す正面図
【図８】  本考案の頭部一対椀状外型枠を開放した状態を示す平面図
【考案を実施するための最良の形態】
【００３６】  本考案により雪だるまを形成するには、雪が辺り一面に積もってなくても残雪やかき集めた雪さえあれば形成可能であり、商店街のアーケード下でも十分に可能である。【００３７】  先ず頭部、胴体部を載置する場所は積雪箇所でも雪のない地面でもよく、一対の椀状外型枠をバックル式留め具で球状となるべく閉じた状態とし、開放口を上部に位置するべく地面に載置する。【００３８】  頭部、胴体部ともに必要な雪塊を開放口から投入し圧雪具等で雪玉となるよう圧雪した後、バックル式留め具を外し開閉柄を用いて外型枠を開くことで雪玉は地面に載置した状態で確保される。【００３９】  頭部の雪玉は軽量のため人の手で容易に持ち上げることが可能であり、胴体部の上面に載置した後接地面外周に別の雪片を圧雪することで頭部と胴体部の当接固定化を補強することが望ましい。【００４０】  又顔等のメイク部位を予め用意することで、雪だるま成型後に豊かな表情の雪だるまを簡単に完成させることもでき、極めて容易な実施形態を提供できるものである。
【実施例】
【００４１】  本考案は一対の椀状外型枠（１）を用いて雪だるまを成型する方法として、頭部（２）、胴体部（３）別々に形成するものとし、形成後、頭部（２）と胴体部（３）を結合させ雪だるまを形成することを目的とする。【００４２】  頭部（２）胴体部（３）の必要な部位として、一対の椀状外型枠（１）を有し、各片端はヒンジ（４）を介して回動自在に接続し、他方の各片端はバックル式留め具（５）で開閉可能とする。【００４３】  一対の椀状外型枠（１）の素材はステンレス等金属であり、椀状外型枠の製造方法は一枚の椀状に湾曲した金属板を用いるのではなく、板状の舟形多円錐形（６）を適数連結して球状に近い多面体を形成し、一対の椀状外型枠（１）を閉じて中空部を有する球状形態となる。【００４４】  球状形態をなした段階で内部もまた球状の中空部を有しており、頭部（２）、胴体部（３）の各下面に開放口（７）を設け、各開放口（７）から雪塊を投入しつつ圧雪具（８）で投入した雪塊を一対の椀状外型枠（１）内面に圧雪し一定の密度を確保する雪玉を形成しかつ開放口（７）面の雪塊を水平状態に圧雪する。【００４５】  また一対の椀状外型枠（１）を閉じて球状形態を確保すべく補強材として赤道ライン補強材（９）と両極経線ライン補強材（１０）を具備するが、一対の椀状外型枠（１）、舟形多円錐形（６）、赤道ライン補強材（９）、両極経線ライン補強材（１０）は全て各々頭部（２）胴体部（３）の大きさに合わせて構成されている。【００４６】  更に頭部（２）上面胴体部（３）には移動の際の把手及び地面に載置した際の安定補助具となるよう十字状把手（１１）を付設している。【００４７】  頭部（２）胴体部（３）各々の開放口（７）から雪塊を投入し雪玉を形成した後、開放口（７）が地面に載置するよう上下を逆さにし、バックル式留め具（５）を外して球状形態であった一対の椀状外型枠（１）を開閉柄（１２）を用いて開くことで、頭部（２）及び胴体部（３）の雪玉は上下正しく地面に載置された状態で確保することができる。【００４８】  次に組み立て段階で、頭部（２）を持ち上げ胴体部（３）上面に載置させるが、当接する頭部（２）の下面及び胴体部（３）上面どうしは水平面を形成しているため、容易に固定することが可能となり形の整った雪だるまを完成させることができる。【００４９】  以上の如く、本考案により人為的に持ち上げる等困難な一定の大きさを有する雪だるまを容易で効率よくかつ崩壊しにくく耐久性を有する雪だるまを形成することが可能な雪だるま形成器を提供するものである。
【符号の説明】
【００５０】１    一対の椀状外型枠
２    頭部
３    胴体部
４    ヒンジ
５    バックル式留め具
６    舟形多円錐形
７    開放口
８    圧雪具
９    赤道ライン補強材
１０  両極経線ライン補強材
１１  十字状把手
１２  開閉柄
【図１】
0003208412.tif 000003
【図２】
0003208412.tif 000004
【図３】
0003208412.tif 000005
【図４】
0003208412.tif 000006
【図５】
0003208412.tif 000007
【図６】
0003208412.tif 000008
【図７】
0003208412.tif 000009
【図８】
0003208412.tif 000010